(57)【特許請求の範囲】
【請求項１】
真直状のステープル針をシート状に連結して成るシート状ステープルを積層して装填可能な収納部の開口部をカバーするカバー体を設ける一方、上記収納部の相対する側壁の上記開口部側部分を、内外に揺動可能でかつ上記収納部内のシート状ステープルによって揺動を阻止される可動壁とするとともに、上記収納部内に残った最後のシート状ステープルも上記可動壁の揺動を阻止する位置にあるようにした電動ホッチキス用カートリッジのカバー機構において、
上記カバー体には、上記両可動壁の外側の開口部側部分を覆う覆い部を形成するとともに、上記カバー体の覆い部と可動壁には互いに係止する係止手段を設け、
上記収納部の開口部から全てのシート状ステープルが排出されたときにのみ上記覆い部を押して上記可動壁を上記収納部の内側に揺動させて上記係止を解除可能とした
ことを特徴とする電動ホッチキス用カートリッジのカバー機構。
【発明の詳細な説明】
【０００１】
【発明の属する技術分野】
本発明は電動ホッチキスに着脱されるカートリッジにカバー体を装着し、このカバー体が内部のシート状ステープルが消費され尽くしてからでないと開かないようにしたカートリッジのカバー機構に関する。
【０００２】
【従来技術】
一般に、電動ホッチキス用カートリッジには、真直状のステープル針をシート状に連結して成るシート状ステープルを積層して簡易包装したリフィル（特開平７ー１４８６７４号の図１に示されたような形態のもので、インナーカートリッジともいう）を装填可能な収納部が設けられている。この収納部の上部（又は下部）には開口部が形成され、該開口部からリフィルを装填するようになっている。そして、カートリッジが電動ホッチキス本体に、上記開口部を上（又は下）にして装着されたときは、送り機構により開口部に近い側のシート状ステープルより順に収納部から打ち込み部に供給され、被綴り材に打ち込まれていく。
【０００３】
【発明が解決しようとする課題】
ところで、図５に示されるように、収納部２０内にまだシート状ステープル２１が残っているときにカートリッジを外し、リフィル２２内にシート状ステープル２１の残りがないと誤認してリフィル２２を新しいものと交換するためカバー２３を開いて開口部から引き出そうとするような場合、リフィル２２はシート状ステープル２１が全て消費されない限りカートリッジから取り外しできないように構成されているから、無理に力づくで引き出そうとすると、リフィル２２自体が破損したり、シート状ステープル２１が折れたりすることがあり、この状態で取り外しを諦めて再度電動ホッチキス本体に装着して打ち込み作動しても、リフィルやシート状ステープルが破損変形しているために送り機構が正常に作動せず、シート状ステープルの送り不良が発生することがある。
【０００４】
本発明は上記問題点を解消し、カートリッジの開口部にカバー体を取り付け、シート状ステープルが消費された後でなければカバー体が開かないようにすることにより、リフィルの交換時期を間違えることのない電動ホッチキス用カートリッジのカバー機構を提供することをその課題とする。
【０００５】
【課題を解決するための手段】
前記課題を解決するため、本発明に係る電動ホッチキス用カートリッジのカバー機構は、真直状のステープル針をシート状に連結して成るシート状ステープルを積層して装填可能な収納部の開口部をカバーするカバー体を設ける一方、上記収納部の相対する側壁の上記開口部側部分を、内外に揺動可能でかつ上記収納部内のシート状ステープルによって揺動を阻止される可動壁とするとともに、上記収納部内に残った最後のシート状ステープルも上記可動壁の揺動を阻止する位置にあるようにした電動ホッチキス用カートリッジのカバー機構において、上記カバー体には、上記両可動壁の外側の開口部側部分を覆う覆い部を形成するとともに、上記カバー体の覆い部と可動壁には互いに係止する係止手段を設け、上記収納部の開口部から全てのシート状ステープルが排出されたときにのみ上記覆い部を押して上記可動壁を上記収納部の内側に揺動させて上記係止を解除可能としたことを特徴とする。
【０００６】
【発明の実施の形態】
図１は電動ホッチキス用カートリッジの側面図、図２（ａ）  は図１のＸーＸ線上の断面図であり、同図（ｂ）  はカバー機構の作動態様説明図である。上記カートリッジは、ステープルを収納する収納部１と、収納部１に対して回動軸まわりに回動して上記収納部１を開閉可能に連結されたカバー体２とから構成されている。
【０００７】
ステープル収納部１にはリフィル３が収納されている。リフィル３は、前述のように、また詳しくは後述の図３に示されるように、真直のステープル材をシート状に連結して成るシート状ステープル４を積層して簡易包装したもので、上記収納部１の上端開口部５から装填される。収納部１に収納されたリフィル３のシート状ステープル４は常時上方にバネ付勢されている。
【０００８】
ところで、収納部１の上部側壁には平行な縦スリット６が形成され、この縦スリット６の内側には可動壁７が配置され、その下端部８は収納部１に回動可能に連結されている。実際には、収納部１を合成樹脂から構成し、可動壁７の下端部８を薄肉ヒンジとして一体成形すればよい。これにより、可動壁７は下端部８を中心に内外に揺動することができる。また、可動壁７の両側からはそれぞれ２個の係合片９が突出形成され、係合片９の先端には係止顎１０（図２（ａ）  参照）が形成されている。
【０００９】
次に、上記カートリッジの上部にはカバー体２が着脱自在に設けられている。このカバー体２は図３に示すように、上記収納部１の前部に設けられた回動軸１１のまわりに回動して上記収納部１を開閉可能に設けられている。図４のようにカバー体２が閉じたときは収納部１の上端開口部とその両側を覆うもので、収納部１の両側を覆う部分は、上記可動壁７の外側（主に係合片９）を覆う覆い部１２として形成されている。
【００１０】
また、図２（ａ）  に示されるように、カバー体２の覆い部１２には係止口１３が形成され、カバー体２装着時にはこの係止口１３は可動壁７の係止顎１０に係止する。したがって、係止口１３と係止顎１０とにより係止手段が構成されている。
【００１１】
なお、上記カバー体２には図４に示されるように、１枚のシート状ステープル４の送りを案内する送り通路１４が形成され、カバー体２が上記収納部１を閉塞したときは、送り通路１４の後端開口部は、ステープル収納部１に収納された最上段のシート状ステープル４ａに向き合うように形成されている。したがって、最上段のシート状ステープル４ａはステープル収納部１から上記送り通路１４に移行して前方に送られるように構成されている。
【００１２】
なお、カバー体２の一部は開口され、カートリッジ装着時には、上記開口部には電動ホッチキス本体側に設けられた送り機構の送り爪（図示せず）が進入してリフィル３内のシート状ステープル４に係合し、送り爪の往復動によって少しずつ前方に送られるように構成されている。
【００１３】
次に、上記送り通路１４の前端にはフェースプレート１５が配置され、その裏側には打ち込み部１６が形成され、収納部１内のシート状ステープル４は上記送り通路１４から上記送り爪によって打ち込み部１６に供給される。図示しないが、電動ホッチキス本体にはドライバプレートとフォーミングプレートが前後に重合状態で配設され、シート状ステープル４の前端のステープル材はフォーミングプレートにより門形に成形される。成形されたステープルは次に上記フェースプレートの打ち込み部１６に送られ、ドライバプレートに打撃されて被綴り材中に打ち込まれ、その後被綴り材を貫通したステープルの脚部は折り曲げられ、綴り作動を終了する。
【００１４】
上記構成のカバー機構によれば、カートリッジ内にリフィル３を装填した後に、カバー体２を装着する。このとき、図１及び図２（ａ）  に示されるように、カバー体２の覆い部１２の係止口１３は可動壁７の係止顎１０に係止する。収納部１内にはリフィル３が装填され、リフィル３内のシート状ステープル４の端部は可動壁７の内面近傍に位置しているので、シート状ステープル４が収納部１内に残っている間は、内部のシート状ステープル４が邪魔して可動壁７は内側に倒れることができない。このため、カバー体２の覆い部１２との係止は解除されないから、カバー体２を外すことはできない。
【００１５】
これに対し、打ち込み作業が十分に行なわれ、収納部１内にシート状ステープル４が消費されてなくなってしまったときは、同図（ｂ）  に示されるように、可動壁７を内側に揺動することを阻止するシート状ステープル４はないので、覆い部１２の係止口１３から指等で可動壁７を押して内側に倒す。これにより、覆い部１２との係止が解除されるので、カバー体２を外すことができる、新しいリフィル３を装填することができる。
【００１６】
上述のように、収納部１内にまだシート状ステープル４が残っているときにカートリッジを外し、シート状ステープル４が残っていないと間違えてリフィル３を新しいものと交換しようとしても、カバー体２を外すことができず、このことによって容易に内部にシート状ステープル４が残存していることを認識することができる。内部にシート状ステープル４が残っていないときは、カバー体２を開くことができるので、リフィル３を装填することができることを認識することができる。このように、収納部１の開口部はカバー体２で覆われ、シートステープル４はむき出しの状態になっていないから、人が触れることはできない。カバー体２はリフィル３を交換する必要があるときにのみ開く。よって、リフィル３の交換時期を間違えることがない。また、ステープル及びリフィル３を破損することがなくなる。
【００１７】
なお、上述の例は開口部が上方に開口する例を示したが、カートリッジは開口部を下方に開口する状態で電動ホッチキス本体にセットする場合もある。この場合でも、カバー機構の構成、作用は上述のものと同じである。
【００１８】
また、カバー体２の覆い部１２と可動壁７との係止手段の構成は、上述のもの（係止口１３と係止顎１０）に限定されない。例えば、覆い部１２に係止顎、可動壁７に係止口を形成する構成でもよいことはもちろんである。また、可動壁は上述のように下端部を中心にしてその上部が内外に揺動するものに限らない。可動壁の一側を中心にして他側が内外に揺動する構成であってもよい。
【図面の簡単な説明】
【図１】本発明に係るカートリッジの側面図
【図２】（ａ）  は図１のＸーＸ線上の断面図、（ｂ）  はカートリッジ機構の作動態様説明図
【図３】カバー体を開き状態にしたときの断面図
【図４】カバー体を閉じ状態にしたときの断面図
【図５】従来のカートリッジの斜視図
【符号の説明】
１  収納部
２  カバー体
７  可動壁
１０  係止顎
１３  係止口
【図１】
0003582418.tif 000002
【図２】
0003582418.tif 000003
【図３】
0003582418.tif 000004
【図４】
0003582418.tif 000005
【図５】
0003582418.tif 000006